(57)【要約】【課題】駆動軸及びテークアップ軸に塵芥の一部が巻きつくのを防ぎ、また、循環移動する無端リンクチェーンのリンクローラー部分や無端リンクチェーンをガイドするガイドレール内に塵芥が混入するのを簡単な構造で防ぐことにある。【解決手段】無端状ネット３の両端が取り付けられる左右の無端リンクチェーン４と噛み合って循環移動させる左右の各駆動スプロケット５を、無端状ネット３のネット内面３ａ上方に配置されネット駆動装置９に連動連結される駆動軸５ａの両端側に取り付け、上記駆動軸５ａの外周に保護材８を回転する駆動軸５ａに対して非回転状態に取り付け、左右の各テークアップ装置６を構成するテークアップガイド６ａを、除塵機１の上部側の左右の上部側板１ｃに内側に向けて突出してそれぞれ独立して軸支された左右のテークアップガイド軸６ｂの先端にそれぞれ回転自在に軸設した。【選択図】        図２
2005036438.tif 000002
【特許請求の範囲】
【請求項１】
塵芥を捕捉する通水性の無端状通水体を、上下方向回りに循環動自在に且つ水路上流側の水を通水体内面を通過させて水路下流側に流れるように水路に配置し、無端状通水体の両端が取り付けられる左右の無端リンクチェーンと噛み合って循環移動させる左右の各駆動スプロケットを、無端状通水体の通水体内面上方に配置され通水体駆動装置に連動連結される駆動軸の両端側に取り付け、上記駆動軸の外周に保護材を回転する駆動軸に対して非回転状態に取り付け、左右の無端リンクチェーンの緩み、緊張具合を調整する左右の各テークアップ装置を構成するテークアップガイドを、除塵機の上部側の左右の上部側板に内側に向けて突出してそれぞれ独立して軸支された左右のテークアップガイド軸の先端にそれぞれ回転自在に軸設し、通水体内面に捕捉した塵芥を噴射水によって下方に落とす洗浄装置を無端状通水体の通水体外面上方に設け、噴射水によって通水体内面から落ちる塵芥を回収するトラフを無端状通水体の内面側の上部に配置したことを特徴とする除塵機。
【請求項２】
塵芥を捕捉する通水性の無端状通水体を、上下方向回りに循環動自在に水路に配置し、無端状通水体の両端が取り付けられる左右の無端リンクチェーンの通水体取り付け側の交互に凹凸面となる外面の凹面に、凹凸面の厚み差と同一の板厚からなり且つ直角な関係のリンク取付側とネット取付側を有する断面Ｌ字型ネット取付補助板のリンク取付側の両端を両側の凸面近傍まで延ばして取り付け、左右の無端リンクチェーンをガイドするガイドレールを断面溝型から構成し、断面溝型からなる左右のガイドレールを、無端状通水体の通水体上流側に臨む側に位置する内側ガイドレール片と無端状通水体の通水体下流側に臨む側に位置する外側ガイドレール片から構成し、無端リンクチェーンの通水体取り付け側の外面と僅かな隙間をあけて、無端状通水体の通水体上流側に臨む側の無端リンクチェーンの上記外面を覆うように、防塵板を内側ガイドレール片の全長さにわたって取り付け、無端リンクチェーンの上記外面の凹面に取り付けられる断面Ｌ字型ネット取付補助板のリンク取付側の先端を無端リンクチェーンのリンクローラーの防塵板側寄り周縁の延長線上から防塵板側に向けて突出させると共にその突出量をガイドレールの溝幅からリンクローラーの直径を引いた差より大きくし、無端状通水体に捕捉した塵芥を噴射水によって下方に落とす洗浄装置を無端状通水体の上方に設け、噴射水によって通水体から落ちる塵芥を回収するトラフを無端状通水体の上部に配置したことを特徴とする除塵機。
【請求項３】
塵芥を捕捉する通水性の無端状通水体を、上下方向回りに循環動自在に且つ水路上流側の水を通水体内面を通過させて水路下流側に流れるように水路に配置し、無端状通水体の両端が取り付けられる左右の無端リンクチェーンと噛み合って循環移動させる左右の各駆動スプロケットを、無端状通水体の通水体内面上方に配置され通水体駆動装置に連動連結される駆動軸の両端側に取り付け、上記駆動軸の外周に保護材を回転する駆動軸に対して非回転状態に取り付け、左右の無端リンクチェーンの緩み、緊張具合を調整する左右の各テークアップ装置を構成するテークアップガイドを、除塵機の上部側の左右の上部側板に内側に向けて突出してそれぞれ独立して軸支された左右のテークアップガイド軸の先端にそれぞれ回転自在に軸設し、無端状通水体の両端が取り付けられる左右の無端リンクチェーンの通水体取り付け側の交互に凹凸面となる外面の凹面に、凹凸面の厚み差と同一の板厚からなり且つ直角な関係のリンク取付側とネット取付側を有する断面Ｌ字型ネット取付補助板のリンク取付側の両端を両側の凸面近傍まで延ばして取り付け、左右の無端リンクチェーンをガイドするガイドレールを断面溝型から構成し、断面溝型からなる左右のガイドレールを、無端状通水体の通水体上流側に臨む側に位置する内側ガイドレール片と無端状通水体の通水体下流側に臨む側に位置する外側ガイドレール片から構成し、無端リンクチェーンの通水体取り付け側の外面と僅かな隙間をあけて、無端状通水体の通水体上流側に臨む側の無端リンクチェーンの上記外面を覆うように、防塵板を内側ガイドレール片の全長さにわたって取り付け、無端リンクチェーンの上記外面の凹面に取り付けられる断面Ｌ字型ネット取付補助板のリンク取付側の先端を無端リンクチェーンのリンクローラーの防塵板側寄り周縁の延長線上から防塵板側に向けて突出させると共にその突出量をガイドレールの溝幅からリンクローラーの直径を引いた差より大きくし、通水体内面に捕捉した塵芥を噴射水によって下方に落とす洗浄装置を無端状通水体の通水体外面上方に設け、噴射水によって通水体内面から落ちる塵芥を回収するトラフを無端状通水体の内面側の上部に配置したことを特徴とする除塵機。
【請求項４】
保護材は駆動軸の外周に直接支持して取り付けられると共に、保護材の下部には錘が取り付けられている請求項１又は請求項３に記載の除塵機。
【請求項５】
保護材は半割りの二分割された部材からなる請求項１又は請求項３に記載の除塵機。
【発明の詳細な説明】
【０００１】
【発明の属する技術分野】
この発明は、上下方向に循環動自在に設けられた通水性の無端状通水体の表面側で塵芥を捕捉して塵芥が下流側に流出するのを防ぐようにした除塵機に係り、特に、無端状通水体の内部の上部に取り付ける駆動軸の外周に回転する駆動軸に対し非回転の保護材を取り付け、又無端状通水体の内部の上部にテークアップ軸を取り付けない構造にすることによって、駆動軸及びテークアップ軸に塵芥の一部が巻きつくのを防ぎ、また、循環移動する無端リンクチェーンのリンクローラー部分や無端リンクチェーンをガイドするガイドレール内に塵芥が混入するのを簡単な構造で防ぐようにした除塵機に関するものである。
【０００２】
【従来の技術】
従来、揚水機場のポンプの故障原因となり又送水端末に設けられる各種弁、ノズル等の作動不良となる塵芥を除去するために、主に揚水機場のポンプ吸水槽に流れ込む水路には除塵機が設置されている。
また、除塵機の中には、上下方向に循環動自在に設けられた無端状ネットなどの無端状通水体の内面側で塵芥を捕捉して塵芥が下流側に流出するのを防ぐようにした機構のものがある。このような除塵機として、例えば、特許出願人は特願２０００−２４７８８０を出願している。
この特願２０００−２４７８８０の除塵機では、無端状通水体の駆動軸に塵芥の一部が巻き付くのを防ぐために、無端状通水体の通水体外面上方に駆動軸を設けて、無端状通水体の内部の上部に駆動軸を取り付けない構造にしている。
また、特願２０００−２４７８８０の除塵機には、図１１（Ａ）〜（Ｃ）に図示するように、循環移動する無端リンクチェーン１０１のリンクローラー１０２部分や無端リンクチェーン１０１をガイドするガイドレール内に塵芥が混入するのを防ぐために、循環移動する無端リンクチェーン１０１の通水体取り付け側の外面を同一平面にするべく、内側リンク板１０３と外側リンク板１０４とを交互に連結して構成される無端リンクチェーン１０１のうち、全ての内側リンク板１０３の外面の全域には外側リンク板１０４と同一板厚の補助板１０５が取り付けられている。この補助板１０５はその長手方向両端をリンクローラ１０２の形状に対応する凹状円弧に形成されている。又各リンクローラー１０２の外側寄りの円周にはフランジ１０６が鍔として形成されている。この鍔としてのフランジ１０６はリンクローラー１０２が断面溝型のガイドレール内に嵌まり込んで、リンクローラー１０２がガイドレールに沿ってスムーズに転動しなくなるのを防ぐと共に、無端状ネットの無端状通水体が左右のガイドレール側に横移動するのを防ぐ機能を果たしている。
【０００３】
【発明が解決しようとする課題】
しかしながら、前記の特願２０００−２４７８８０の除塵機にあっては、無端状通水体の駆動軸に塵芥の一部が巻き付くのを防ぐために、無端状通水体の通水体外面上方に駆動軸を設けているため、除塵機の高さがその分高くなるという不都合が生じ、又駆動軸の駆動力を左右のスプロケット軸に伝達する動力伝達機構を必要とし、その結果部品が増えるという不都合もあった。
また、前記の特願２０００−２４７８８０の除塵機にあっては、循環移動する無端リンクチェーンのリンクローラー部分や無端リンクチェーンをガイドするガイドレール内に塵芥が混入するのを防ぐために、全ての内側リンク板の外面の全域に外側リンク板と同一板厚の補助板を取り付けているが、同除塵機を設置して使用したところ、初期の予想に比べて塵芥が混入し難く、内側リンク板の外面の全域に補助板を取り付けて塞ぐ必要がないことが判明し、その一方、内側リンク板に取り付ける全ての補助板は内側リンクの外面全域に取り付けるべくその両端をリンクローラの形状に対応する凹状円弧に加工形成されているが、全ての補助板をこのように加工形成するのは手間と時間がかかりコスト高となり、塵芥が混入し難いことを考慮すると現状の補助板の構造は明らかに過剰品質であった。また、リンクローラーがガイドレールに沿ってスムーズに転動しなくなるのを防ぐと共に、無端状ネットの無端状通水体が左右のガイドレール側に横移動するのを防ぐために、各リンクローラーにはフランジが鍔として形成されているが、各リンクローラーの外側寄りの円周にフランジを形成するのは手間と時間がかかりコスト高になるという不都合があった。
【０００４】
この発明は、上記のような課題に鑑み、その課題を解決すべく創案されたものであって、その目的とするところは、無端状通水体の内部の上部に取り付ける駆動軸の外周に回転する駆動軸に対し非回転の保護材を取り付け、又無端状通水体の内部の上部にテークアップ軸を取り付けない構造にすることによって、駆動軸及びテークアップ軸に塵芥の一部が巻きつくのを防ぎ、また、循環移動する無端リンクチェーンのリンクローラー部分や無端リンクチェーンをガイドするガイドレール内に塵芥が混入するのを簡単な構造で防ぐことのできる除塵機を提供することにある。
【０００５】
【課題を解決するための手段】
以上の目的を達成するために、請求項１の発明は、塵芥を捕捉する通水性の無端状通水体を、上下方向回りに循環動自在に且つ水路上流側の水を通水体内面を通過させて水路下流側に流れるように水路に配置し、無端状通水体の両端が取り付けられる左右の無端リンクチェーンと噛み合って循環移動させる左右の各駆動スプロケットを、無端状通水体の通水体内面上方に配置され通水体駆動装置に連動連結される駆動軸の両端側に取り付け、上記駆動軸の外周に保護材を回転する駆動軸に対して非回転状態に取り付け、左右の無端リンクチェーンの緩み、緊張具合を調整する左右の各テークアップ装置を構成するテークアップガイドを、除塵機の上部側の左右の上部側板に内側に向けて突出してそれぞれ独立して軸支された左右のテークアップガイド軸の先端にそれぞれ回転自在に軸設し、通水体内面に捕捉した塵芥を噴射水によって下方に落とす洗浄装置を無端状通水体の通水体外面上方に設け、噴射水によって通水体内面から落ちる塵芥を回収するトラフを無端状通水体の内面側の上部に配置した手段よりなるものである。
【０００６】
また、請求項２の発明は、塵芥を捕捉する通水性の無端状通水体を、上下方向回りに循環動自在に水路に配置し、無端状通水体の両端が取り付けられる左右の無端リンクチェーンの通水体取り付け側の交互に凹凸面となる外面の凹面に、凹凸面の厚み差と同一の板厚からなり且つ直角な関係のリンク取付側とネット取付側を有する断面Ｌ字型ネット取付補助板のリンク取付側の両端を両側の凸面近傍まで延ばして取り付け、左右の無端リンクチェーンをガイドするガイドレールを断面溝型から構成し、断面溝型からなる左右のガイドレールを、無端状通水体の通水体上流側に臨む側に位置する内側ガイドレール片と無端状通水体の通水体下流側に臨む側に位置する外側ガイドレール片から構成し、無端リンクチェーンの通水体取り付け側の外面と僅かな隙間をあけて、無端状通水体の通水体上流側に臨む側の無端リンクチェーンの上記外面を覆うように、防塵板を内側ガイドレール片の全長さにわたって取り付け、無端リンクチェーンの上記外面の凹面に取り付けられる断面Ｌ字型ネット取付補助板のリンク取付側の先端を無端リンクチェーンのリンクローラーの防塵板側寄り周縁の延長線上から防塵板側に向けて突出させると共にその突出量をガイドレールの溝幅からリンクローラーの直径を引いた差より大きくし、無端状通水体に捕捉した塵芥を噴射水によって下方に落とす洗浄装置を無端状通水体の上方に設け、噴射水によって通水体から落ちる塵芥を回収するトラフを無端状通水体の上部に配置した手段よりなるものである。
【０００７】
また、請求項３の発明は、塵芥を捕捉する通水性の無端状通水体を、上下方向回りに循環動自在に且つ水路上流側の水を通水体内面を通過させて水路下流側に流れるように水路に配置し、無端状通水体の両端が取り付けられる左右の無端リンクチェーンと噛み合って循環移動させる左右の各駆動スプロケットを、無端状通水体の通水体内面上方に配置され通水体駆動装置に連動連結される駆動軸の両端側に取り付け、上記駆動軸の外周に保護材を回転する駆動軸に対して非回転状態に取り付け、左右の無端リンクチェーンの緩み、緊張具合を調整する左右の各テークアップ装置を構成するテークアップガイドを、除塵機の上部側の左右の上部側板に内側に向けて突出してそれぞれ独立して軸支された左右のテークアップガイド軸の先端にそれぞれ回転自在に軸設し、無端状通水体の両端が取り付けられる左右の無端リンクチェーンの通水体取り付け側の交互に凹凸面となる外面の凹面に、凹凸面の厚み差と同一の板厚からなり且つ直角な関係のリンク取付側とネット取付側を有する断面Ｌ字型ネット取付補助板のリンク取付側の両端を両側の凸面近傍まで延ばして取り付け、左右の無端リンクチェーンをガイドするガイドレールを断面溝型から構成し、断面溝型からなる左右のガイドレールを、無端状通水体の通水体上流側に臨む側に位置する内側ガイドレール片と無端状通水体の通水体下流側に臨む側に位置する外側ガイドレール片から構成し、無端リンクチェーンの通水体取り付け側の外面と僅かな隙間をあけて、無端状通水体の通水体上流側に臨む側の無端リンクチェーンの上記外面を覆うように、防塵板を内側ガイドレール片の全長さにわたって取り付け、無端リンクチェーンの上記外面の凹面に取り付けられる断面Ｌ字型ネット取付補助板のリンク取付側の先端を無端リンクチェーンのリンクローラーの防塵板側寄り周縁の延長線上から防塵板側に向けて突出させると共にその突出量をガイドレールの溝幅からリンクローラーの直径を引いた差より大きくし、通水体内面に捕捉した塵芥を噴射水によって下方に落とす洗浄装置を無端状通水体の通水体外面上方に設け、噴射水によって通水体内面から落ちる塵芥を回収するトラフを無端状通水体の内面側の上部に配置した手段よりなるものである。
【０００８】
ここで、請求項１、請求項３の発明は、保護材は駆動軸の外周に直接支持して取り付けられると共に、保護材の下部には錘が取り付けられていてもよく、また、保護材は半割りの二分割された部材からなるものでもよい。
【０００９】
【発明の実施の形態】
以下、図面に記載の発明の実施の形態に基づいて、この発明をより具体的に説明する。
【００１０】
ここで、図１は除塵機の全体側断面図、図２は除塵機の水路上流側から見たときの全体概略正断面図、図３は除塵機の全体平断面図、図４は除塵機の上部側の平断面図、図５（Ａ）〜（Ｃ）は保護材の断面図、図６（Ａ）〜（Ｃ）は二分割の保護材の断面図、図７は保護材のブラケット支持の側面図、図８は除塵機のガイドレール側の部分拡大平断面図、図９は除塵機の無端リンクチェーンの部分側面図、図１０は除塵機の無端リンクチェーンの部分正面図である。
【００１１】
図において、除塵機１は、主に揚水機場のポンプ吸水槽に流れ込む水路２に設置され、ポンプの故障原因となり又送水端末に設けられる各種弁、ノズル等の作動不良となる塵芥を除去する装置で、無端状通水体としての例えば無端状ネット３、無端リンクチェーン４、駆動スプロケット５、テークアップ装置６、ガイドレール７、保護材８、通水体駆動装置としての例えばネット駆動装置９、洗浄装置１２、トラフ１３などから構成されている。
【００１２】
除塵機１が設置される個所の水路２の直近上流の左右両側壁には、水路２の両側壁から中央側に向けてそれぞれ案内側壁２ｃが突出形成されていて、一時的に水路幅が狭くなっている。左右の案内側壁２ｃは、水路２の下流に向けて傾斜して水路２の左右両壁側の水を中央側に向けて案内誘導する構造になっている。
【００１３】
塵芥を捕捉する通水性の無端状通水体としての例えば無端状ネット３は、水路２の左右の案内側壁２ｃの直近下流の中央部位に上下方向回りに循環動自在に配置されている。所定の幅面つまりネット面を有する無端状ネット３は、その幅方向となるネット面が水路２の水流に対して略平行に配置されている。つまり、無端状ネット３のネット面は水路２の左右の側壁に平行になるように水路２に配置されている。
【００１４】
水路２の中央部位に配置された無端状ネット３はその一側面が左右の案内側壁２ｃによって一時的に狭くなっている水路上流側２ｂに向けて開放されており、開放された両側には左右の案内側壁２ｃとの隙間に上流側止水板１ａがそれぞれ取り付けられていて、この上流側止水板１ａによって水路上流側２ｂの水が無端状ネット３を通過せずに水路下流側２ａに流出するのを阻止している。
【００１５】
また、無端状ネット３のネット内面３ａ側の他側面には下流側止水板１ｂが水路２を横断する方向に設置されていて、ネット内面３ａ側に流入した水及び塵芥はこの下流側止水板１ｂによってネット内面３ａを通過せずに水路下流側２ａに流れるのが阻止されると共に、左右両側のネット内面３ａに向けて流れを変えられるようになっている。
【００１６】
無端状ネット３は、水路上流側２ｂから見て、その下部は半円弧状に形成され、その左右両側は垂直上下向きに平行に形成され、その上部側は左右両側が中央に向けて９０度の円弧状に曲がって水平状態になっていて、下部長円形状で上部略長方形状の形状に形成されている。そして、無端状ネット３はこの形状で循環移動して、ネット内面３ａで捕捉した塵芥を上部側の水平状態の部分から下方に落下させて排出する構造になっている。
【００１７】
無端状ネット３はその幅面つまりネット面の両端がそれぞれ左右の無端状の無端リンクチェーン４に連結されている。左右の無端リンクチェーン４は水路２の正面側から見て、無端状ネット３と全く同一な形状に配置されている。
【００１８】
つまり、左右の無端リンクチェーン４は、水路上流側２ｂから見て、その下部は半円弧状に形成され、その左右両側は垂直上下向きに平行に形成され、その上部側は左右両側が中央に向けて９０度の円弧状に曲がって水平状態になっていて、下部長円形状で上部略長方形状の形状に形成されている。そして、左右の無端リンクチェーン４はこの形状で循環移動する構造になっている。
【００１９】
左右の無端リンクチェーン４は、厚みを有する長円形状の内側リンク板４ａと外側リンク板４ｂを長さ方向に交互にその両端側同士を一部板厚側に重ねて連結軸４ｃによって屈曲自在に連結され、又この両者を重ねて連結する両側の内側部分に挟まれたリンクローラー４ｄが連結軸４ｃに回転自在に取り付けられた構造から構成されている。
【００２０】
厚みを有する内側リンク板４ａと外側リンク板４ｂを長さ方向に交互に重ねて連結するため、無端状通水体としての無端状ネット３の両端が取り付けられる左右の無端リンクチェーン４の通水体取り付け側つまり無端状ネット３の取り付け側の外面は、外側リンク板４ｂの厚みによって交互に凹凸面になっている。このうち、凸面の外面は外側リンク板４ｂの外面であり、凹面の外面は内側リンク板４ａの外面である。
【００２１】
左右無端リンクチェーン４の無端状ネット３の端部が取り付けられる側の各内側リンク板４ａの外面つまり凹面となる外面には、外側リンク板４ｂと同じ板厚の断面Ｌ字型ネット取付補助板４ｅがそれぞれ取り付けられている。
【００２２】
断面Ｌ字型ネット取付補助板４ｅは、無端状ネット３の端部を取り付けるためのものであり、又別の機能としては、リンクローラー４ｄが断面溝型のガイドレール７内に嵌まり込んで、リンクローラー４ｄがガイドレール７に沿ってスムーズに転動しなくなるのを防ぐと共に、無端状ネット３が左右のガイドレール７側に横移動するのを防ぐ機能を果たし、さらに、外側リンク板４ｂの板厚分だけ有する隙間を埋めてこの部分から塵芥が混入するのを防ぐ機能を果たす。
【００２３】
この断面Ｌ字型ネット取付補助板４ｅはその断面が直角に曲がっていて、直角曲がった一方側のリンク取付側４ｆは内側リンク板４ａの外面に取り付けられ、直角に曲がった他方側のネット取付側４ｇには無端状ネット３の端部が取り付けられる。
【００２４】
断面Ｌ字型ネット取付補助板４ｅのリンク取付側４ｆは、リンクローラー４ｄが断面溝型のガイドレール７内に嵌まり込んで、リンクローラー４ｄがガイドレール７に沿ってスムーズに転動しなくなるのを防ぐと共に、無端状ネット３が左右のガイドレール７側に横移動するのを防ぐ機能を果たす。
【００２５】
このため、リンク取付側４ｆはその先端が内側リンク板４ａの側縁及びリンクローラー４ｄの周縁の延長線上から後述する防塵板１０側に向けて少し突出するように内側リンク板４ａに取り付けられる。リンク取付側４ｆのリンクローラー４ｄの周縁の延長線上からの突出量は、後述の溝型のガイドレール７の溝幅からリンクローラー４ｄの直径を引いた差より大きい量であり、これにより、リンク取付側４ｆの突出する側は常にガイドレール７の溝の出口先端の外側に位置して溝内側に入ることがない。
【００２６】
つまり、無端状ネット３が左右に移動しても、リンク取付側４ｆの突出する側が片方のガイドレール７の溝の出口先端に当接してそれ以上溝内側に無端状ネット３が移動するのを阻止し、同様にリンクローラー４ｄが断面溝型のガイドレール７内に嵌まり込んで、リンクローラー４ｄがガイドレール７に沿ってスムーズに転動しなくなるのを防ぐことができる。
【００２７】
内側リンク板４ａの外面に取り付けられる外側リンク板４ｂと同一の板厚を有するリンク取付側４ｆは、その長さ方向の両端が両側の凸面を構成する外側リンク板４ｂの近傍まで延ばして取り付けられていて、外側リンク板４ｂの板厚分だけ隙間のある内側リンク板４ａの外面側を外側リンク板４ｂと同一板厚のリンク取付側４ｆによって略塞いで塵芥の混入を防ぐことができるようになっている。
【００２８】
また、左右無端リンクチェーン４の無端状ネット３の端部が取り付けられる側の各外側リンク板４ｂの外面には、無端状ネット３の端部を取り付けるためのネット取付板４ｈが垂直に取り付けられている。ネット取付板４ｈと断面Ｌ字型ネット取付補助板４ｅのネット取付側４ｇとは同一直線上に位置するように外側リンク板４ｂと内側リンク板４ａにそれぞれ取り付けられる。
【００２９】
左右の無端リンクチェーン４は、無端状ネット３はその幅面つまりネット面の両端側にそれぞれ配置された、上部側の左右の駆動スプロケット５、上部側の左右のテークアップ装置６の円形のテークアップガイド６ａ、及び左右の垂直上下方向及び下部の半円弧状に形成されたガイドレール７によって、下部長円形状で上部略長方形状の形状に保持されて循環動するようになっている。
【００３０】
このうち、左右の無端リンクチェーン４の上端部両側の円弧状に曲がる部分の内側には駆動スプロケット５とテークアップ装置６の円形のテークアップガイド６ａがそれぞれ取り付けられている。また、下端部には半円弧状に形成されたガイドレール７が取り付けられている。
【００３１】
左右の駆動スプロケット５は、左右の無端リンクチェーン４と噛み合って無端リンクチェーン４を循環動させるもので、無端状ネット３の上部側の内面側に配置された駆動軸５ａの両端側に取り付けられている。両端側に駆動スプロケット５が取り付けられた駆動軸５ａの配置方向は水路２の水流方向に平行になっている。この左右の駆動スプロケット５によって左右の無端リンクチェーン４は、例えば垂直上向きから水平向きに９０度反転する。
【００３２】
駆動軸５ａの両端側は除塵機１の上部側の左右の上部側板１ｃにそれぞれ軸支されると共に、駆動軸５ａの一端側は一方の上部側板１ｃを貫通してその外側に設けられた外部側板１ｄに取り付けられた減速機及び電動モーターから構成されるネット駆動装置９に連動連結されている。ネット駆動装置９の駆動力は、駆動軸５ａを介して両側の駆動スプロケット５にそれぞれ伝達されて、両側の駆動スプロケット５は同一速度で回転する。
【００３３】
駆動軸５ａは、特願２０００−２４７８８０と異なり、特開平１０−３１７３５５と同様に、無端状ネット３の上部側の内面側に配置されているため、無端状ネット３の上部側で捕捉した塵芥を下方のトラフ１３内に落下させる際に、回転する駆動軸５ａに塵芥の一部が巻き付くことが考えられる。このため、駆動軸５ａの外周には、回転する駆動軸５ａに対して保護材８が非回転状態で取り付けられている。
【００３４】
即ち、保護材８は回転する駆動軸５ａに対して絶対的に非回転状態、つまり常時停止状態にある。非回転の保護材８は、回転する駆動軸５ａの外周に直接支持して取り付ける場合と、回転する駆動軸５ａでは支持させずに後述のブラケット８ｃにより上部側板１ｃに支持して取り付ける場合とがある。
【００３５】
回転する駆動軸５ａの外周側面の全周面と滑り接触する保護材８の内部には例えば中空円筒形状のオイルレスベアリング８ａが取り付けられている。このオイルレスベアリング８ａの働きによって、回転する駆動軸５ａに対して保護材８は非回転状態を維持することが可能となる。
【００３６】
また、保護材８の非回転を高めるために、保護材８の下部には必要に応じて錘８ｂが取り付けられる。錘８ｂを保護材８の下部に取り付けることにより、オイルレスベアリング８ａの滑りが低下しても、錘８ｂによって保護材８が回転するのを阻止して非回転状態を維持することが可能となる。
【００３７】
更にまた、保護材８の非回転を確実する構造として、錘８ｂに代えて保護材８の両端側を左右のブラケット８ｃを介して左右の上部側板１ｃに連結支持する構造にしてもよい。この構造の場合には、保護材８の内部のオイルレスベアリング８ａを省略することも可能となる。オイルレスベアリング８ａを省略する場合には、保護材８の内周面と駆動軸５ａの外周面とが非接触になるように隙間をあける。
【００３８】
保護材８として、例えば断面円筒形の鋼管、断面角型の鋼管、断面逆Ｕ字型鋼などがある。また、保護材８は、二分割されたいわゆる半割り状態の部材もある。二分割された半割りの場合には両側から合わせることによって駆動軸５ａの外周に簡単に取り付けることができるため、既設の除塵機の駆動軸に取り付けることが可能である。
【００３９】
左右のテークアップ装置６は、左右の無端リンクチェーン４の緩み、緊張具合を調整する装置で、円形のテークアップガイド６ａ、テークアップガイド軸６ｂ、テークアップガイド軸スライド調節具６ｃなどから構成され、除塵機１の上部側の左右の上部側板１ｃにそれぞれ独立して設けられている。
【００４０】
左右の各テークアップ装置６の円形の各テークアップガイド６ａは、左右の各駆動スプロケット５の近くに設けられている。また、左右の各円形のテークアップガイド６ａには円板又は駆動スプロケット５と同じように歯付きのものが使用され、約４分の１の円周の長さ分程度、無端リンクチェーン４が回装されている。
【００４１】
左右の円形のテークアップガイド６ａは、除塵機１の上部側の左右の上部側板１ｃに内側に向けて突出してそれぞれ独立して軸支された左右のテークアップガイド軸６ｂの先端にそれぞれ回転自在に軸支されている。左右の各テークアップガイド軸６ｂは独立していて非連結状態あり、左右のテークアップガイド６ａの間には両者を連動連結する連結軸は横設されていない。
【００４２】
左右の各テークアップガイド軸６ｂは、その基端が左右の各上部側板１ｃの内側に取り付けられたテークアップガイド軸スライド調節具６ｃにスライド調節自在に軸設されている。このテークアップガイド軸スライド調節具６ｃを調節してテークアップガイド軸６ｂをスライドさせることによって、円形のテークアップガイド６ａを介して無端リンクチェーン４の緩み、緊張具合を調整する機構になっている。
【００４３】
左右のガイドレール７は、左右の無端リンクチェーン４を格納しながらガイドするもので、断面溝型の形状からなっている。左右のガイドレール７は、水路上流側２ｂから見て、下端側が半円弧状に形成され、その両側が平行に上下方向に形成され、上部が開放された、Ｕ字型の形状に形成されている。
【００４４】
このうち、平面図で、左側のガイドレール７はその上部側を除く大半部分が上流側止水板１ａにそれぞれ取り付けられ、右側のガイドレール７はその上部側を除く大半部分が下流側止水板１ｂにそれぞれ取り付けられている。
【００４５】
断面溝型からなる左右のガイドレール７は、水の流れ方向から見て通水体上流側となる無端状ネット３のネット内面３ａ側に臨む側に位置する内側ガイドレール片７ａと、水の流れ方向から見て通水体下流側となる無端状ネット３のネット外面３ｂ側に臨む側に位置する外側ガイドレール片７ｂから構成されている。
【００４６】
断面溝型からなるガイドレール７を構成する内側ガイドレール片７ａと外側ガイドレール片７ｂとは、無端リンクチェーン４のリンクローラー４ｄの直径より少し広い間隔で平行に、上流側止水板１ａ及び下流側止水板１ｂに取り付けられている。
【００４７】
左右のガイドレール７の水の流れ方向から見て通水体上流側となる無端状ネット３のネット内面３ａに臨む側に位置する内側ガイドレール片７ａは、そのＵ字型の上端の両側が駆動スプロケット５及びテークアップガイド６ａの接触しない程度の直近まで延設されている。
【００４８】
この内側ガイドレール片７ａには、防塵板１０が全長さにわたって取り付けられている。防塵板１０は、塵芥の一部が循環移動する無端リンクチェーン４のリンクローラー４ｄ部分や無端リンクチェーン４をガイドするガイドレール７内に混入するのを防ぐものである。
【００４９】
防塵板１０は、その基端側が内側ガイドレール片７ａの外側面に取り付けられ、その先端側が内側ガイドレール片７ａの先端から無端状ネット３の内面側に少し突出すると共に、無端リンクチェーン４の無端状ネット３の取り付け側の同一平面となる外側リンク板４ｂ及び断面Ｌ字型ネット取付補助板４ｅのリンク取付側４ｆの外面より僅かに突出する位置で、無端リンクチェーン４側に略９０度折れ曲がって、その先端が外側リンク板４ｂ及びリンク取付側４ｆの外面と接触しない僅かな隙間をあけて、無端状ネット３のネット内面３ａ側の無端リンクチェーン４の無端状ネット３の取り付け側の同一平面となる外側リンク板４ｂ及び断面Ｌ字型ネット取付補助板４ｅのリンク取付側４ｆの外面を覆うように取り付けられている。この防塵板１０は例えば断面Ｌ字型に形成されている。防塵板１０には例えば鋼板又はゴムシールで製作されたものが使用される。
【００５０】
また、左右のガイドレール７の水の流れ方向から見て通水体下流側となる無端状ネット３のネット外面３ｂに臨む側に位置する外側ガイドレール片７ｂは、そのＵ字型の両側の上端が無端状ネット３の上端面より少し上方に突出する程度まで延設されている。
【００５１】
無端状ネット３のネット内面３ａには塵芥を掻き上げ且つ無端状ネット３の取付部材を兼ねる複数のレーキ１１が、必要に応じて無端状ネット３の循環方向に一定間隔で取り付けられている。各レーキ１１の両端は左右の無端リンクチェーン４にそれぞれ連結されている。各レーキ１１は無端状ネット３の保持強度を高める機能を果たす。
【００５２】
洗浄装置１２は無端状ネット３のネット内面３ａに捕捉した塵芥を噴射水によって下方に落とす装置で、水路２の上方の水平な無端状ネット３のネット外面３ｂ上方にノズル付洗浄管１２ａが下向きに設けられている。ノズル付洗浄管１２ａに向けて水を供給する水中ポンプ１２ｂが無端状ネット３の水路下流側２ａの水路底面側に配置されており、また、水中ポンプ１２ｂから送られる噴射水をノズル付洗浄管１２ａまで供給する洗浄用配管１２ｃが配設されている。
【００５３】
トラフ１３は、ノズル付洗浄管１２ａからの噴射水によって無端状ネット３のネット内面３ａから落ちる塵芥を回収するもので、無端状ネット３のネット内面３ａ側の上部に無端状ネット３の幅方向に配置され、その一端側は無端状ネット３の外側まで延設されている。トラフ１３は上向きに拡開していて、噴射水及びネット内面３ａから落ちる塵芥がその内部に入り易いように形成されている。
【００５４】
次に、上記発明の実施の形態の構成に基づく作用について以下説明する。
水路２の両側壁から中央側に向けてそれぞれ案内側壁２ｃが突出形成されている中央部位の直近下流に、上下方向回りに循環動自在に除塵機１の無端状ネット３が配置されており、無端状ネット３の一側面は水路上流側２ｂに向けて開放されている。
【００５５】
このため、水路上流側２ｂから水路下流側２ａに向かって流れる水と塵芥は、左右の案内側壁２ｃによって水路２の中央側に誘導され、無端状ネット３の水路上流側２ｂに向けて開放された側面からネット上流側となるネット内面３ａ側に流入する。
【００５６】
側面から流入した水と塵芥はネット内面３ａ側で左右に分かれて両側の上昇側ネット内面３ａ及び下降側ネット内面３ａをそれぞれ通過して水路下流側２ａに向かって流れる。水はその両側のネット内面３ａを通過するが塵芥はネット内面３ａで捕捉される。
【００５７】
水路２の中央部位に上下方向回りに循環動自在に配置された無端状ネット３は、そのネット面の両端が左右の無端リンクチェーン４にそれぞれ連結されている。左右の無端リンクチェーン４は、左右の駆動スプロケット５、及び無端状ネット３のネット内面３ａ上方に幅方向に横設され且つその外周に非回転の保護材８が取り付けられた駆動軸５ａを介して連動連結されたネット駆動装置９によって、ガイドレール７に沿って循環動する。
【００５８】
すなわち、ネット駆動装置９の駆動によって左右の駆動スプロケット５は同一速度で回転し、この左右駆動スプロケット５と噛み合う無端リンクチェーン４は上下方向回りに循環動し、この無端リンクチェーン４と一体となって無端状ネット３も上下方向回りに循環動する。
【００５９】
ネット内面３ａで捕捉された塵芥は垂直上向きに移動している無端状ネット３によって上方に運ばれ、駆動スプロケット５の箇所で水平向きに反転してテークアップ装置６のテークアップガイド６ａに向けて水平に移動する無端状ネット３によって、トラフ１３の上方に運ばれる。
【００６０】
無端状ネット３のネット内面３ａ側にレーキ１１が取り付けられている場合には、一部の塵芥はレーキ１１によって掻き上げられ、トラフ１３の上方側でレーキ１１から落下してトラフ１３内に回収される。
【００６１】
トラフ１３の上方の無端状ネット３のネット外面３ｂ上方には洗浄装置１２のノズル付洗浄管１２ａが下向きに設けられていて、そのノズル付洗浄管１２ａから下向きに噴射水が噴射される。この噴射水によって水平部分の無端状ネット３のネット内面３ａに付着している塵芥は下方に水と共に落下してトラフ１３内に回収される。トラフ１３内に回収された水及び塵芥は端部から外部に排出される。
【００６２】
噴射水によってネット内面３ａに付着していた塵芥が落とされた無端状ネット３は円形のテークアップガイド６ａの箇所で垂直下向きに反転して、真っ直ぐに下方に移動して水面に突入し、半円弧状の下端側で反転して垂直上向きになり、水面上に出るときにネット内面３ａで再び塵芥を捕捉しつつ垂直上向きに循環移動する。
【００６３】
このとき、トラフ１３の上方で無端状ネット３のネット内面３ａの上部側に横設された駆動軸５ａの外周には非回転の保護材８が取り付けられ、又トラフ１３の上方で無端状ネット３のネット内面３ａの上部側にはテークアップ軸が取り付けられていないため、落下する塵芥の一部が駆動軸５ａやテークアップ軸に巻き付くこともなく、スムーズにトラフ１３内に回収される。
【００６４】
また、無端リンクチェーン４をガイドするガイドレール７は、無端状ネット３のネット内面３ａに臨む側に位置する内側ガイドレール片７ａに防塵板１０が全長さにわたって取り付けられている。しかも、ガイドレール７にガイドされる無端リンクチェーン４の防塵板１０によって覆われる側は、外側リンク板４ｂの板厚分だけ隙間のある内側リンク板４ａの外面側を外側リンク板４ｂと同一板厚の断面Ｌ字型ネット取付補助板４ｅのリンク取付側４ｆによって略塞いでいるので、その隙間から無端リンクチェーン４又はガイドレール７内への塵芥の混入を防ぐことができる。
【００６５】
このように、塵芥は無端状ネット３のネット内面３ａに捕捉され、塵芥を捕捉する側を内側にして無端状ネット３は循環動するため、塵芥を水路下流側２ａの外部に流下させることを極力減少させることができる。
【００６６】
なお、この発明は上記発明の実施の形態に限定されるものではなく、この発明の精神を逸脱しない範囲で種々の改変をなし得ることは勿論である。例えば、前記実施の形態では、無端状通水体の内面側で塵芥を捕捉する場合で説明したが、これに限定されるものではなく、水の流れが無端状通水体の外面より入り内側に抜けて行くタイプの除塵機や、略長円形状に循環動する無端状通水体の外面側で塵芥を捕捉するタイプの除塵機にも適用できる。また、前記実施の形態では無端状通水体として無端状ネット３の場合で説明したが、これに限定されるものではなく、例えば複数の通水板を無端状に連結したものでもよい。
【００６７】
【発明の効果】
以上の記載より明らかなように、請求項１の発明に係る除塵機によれば、無端状通水体の両端が取り付けられる左右の無端リンクチェーンと噛み合って循環移動させる左右の各駆動スプロケットを、無端状通水体の通水体内面上方に配置され通水体駆動装置に連動連結される駆動軸の両端側に取り付け、上記駆動軸の外周に保護材を回転する駆動軸に対して非回転状態に取り付け、左右の無端リンクチェーンの緩み、緊張具合を調整する左右の各テークアップ装置を構成するテークアップガイドを、除塵機の上部側の左右の上部側板に内側に向けて突出してそれぞれ独立して軸支された左右のテークアップガイド軸の先端にそれぞれ回転自在に軸設したことにより、無端状通水体の内部の上部に駆動軸の外周に取り付けた非回転の保護材によって、駆動軸に塵芥の一部が巻きつくのを防ぐことができる。また、テークアップ軸を取り付けない構造にすることができるので、テークアップ軸に塵芥の一部が巻きつくのを防ぐことができる。さらに、特願２０００−２４７８８０に比べて、無端状通水体の通水体外面上方に駆動軸などを横設しないので、除塵機の高さが高くなるのを回避でき、しかも動力伝達機構を省略できるので、部品数を減らすことができる。
【００６８】
また、請求項２の発明に係る除塵機によれば、無端状通水体の両端が取り付けられる左右の無端リンクチェーンの通水体取り付け側の交互に凹凸面となる外面の凹面に、凹凸面の厚み差と同一の板厚からなり且つ直角な関係のリンク取付側とネット取付側を有する断面Ｌ字型ネット取付補助板のリンク取付側の両端を両側の凸面近傍まで延ばして取り付け、左右の無端リンクチェーンをガイドするガイドレールを断面溝型から構成し、断面溝型からなる左右のガイドレールを、無端状通水体の通水体上流側に臨む側に位置する内側ガイドレール片と無端状通水体の通水体下流側に臨む側に位置する外側ガイドレール片から構成し、無端リンクチェーンの通水体取り付け側の外面と僅かな隙間をあけて、無端状通水体の通水体上流側に臨む側の無端リンクチェーンの上記外面を覆うように、防塵板を内側ガイドレール片の全長さにわたって取り付け、無端リンクチェーンの上記外面の凹面に取り付けられる断面Ｌ字型ネット取付補助板のリンク取付側の先端を無端リンクチェーンのリンクローラーの防塵板側寄り周縁の延長線上から防塵板側に向けて突出させると共にその突出量をガイドレールの溝幅からリンクローラーの直径を引いた差より大きくしたことにより、循環移動する無端リンクチェーンのリンクローラー部分や無端リンクチェーンをガイドするガイドレール内に塵芥が混入するのを簡単な構造で防ぐことができると共にリンクローラーの外周側に鍔としてのフランジの形成を省略することができる。しかも、断面Ｌ字型ネット取付補助板は市販の部材を使用できるため、特願２０００−２４７８８０に比べて、部材の成形加工を簡略でき、作業手間と時間を短縮し得てコストを軽減することができる。
【００６９】
また、請求項３の発明に係る除塵機によれば、無端状通水体の両端が取り付けられる左右の無端リンクチェーンと噛み合って循環移動させる左右の各駆動スプロケットを、無端状通水体の通水体内面上方に配置され通水体駆動装置に連動連結される駆動軸の両端側に取り付け、上記駆動軸の外周に保護材を回転する駆動軸に対して非回転状態に取り付け、左右の無端リンクチェーンの緩み、緊張具合を調整する左右の各テークアップ装置を構成するテークアップガイドを、除塵機の上部側の左右の上部側板に内側に向けて突出してそれぞれ独立して軸支された左右のテークアップガイド軸の先端にそれぞれ回転自在に軸設したことにより、無端状通水体の内部の上部に駆動軸の外周に取り付けた非回転の保護材によって、駆動軸に塵芥の一部が巻きつくのを防ぐことができる。また、テークアップ軸を取り付けない構造にすることができるので、テークアップ軸に塵芥の一部が巻きつくのを防ぐことができる。さらに、特願２０００−２４７８８０に比べて、無端状通水体の通水体外面上方に駆動軸などを横設しないので、除塵機の高さが高くなるのを回避でき、しかも動力伝達機構を省略できるので、部品数を減らす
ことができる。
【００７０】
これに加えて、無端状通水体の両端が取り付けられる左右の無端リンクチェーンの通水体取り付け側の交互に凹凸面となる外面の凹面に、凹凸面の厚み差と同一の板厚からなり且つ直角な関係のリンク取付側とネット取付側を有する断面Ｌ字型ネット取付補助板のリンク取付側の両端を両側の凸面近傍まで延ばして取り付け、左右の無端リンクチェーンをガイドするガイドレールを断面溝型から構成し、断面溝型からなる左右のガイドレールを、無端状通水体の通水体上流側に臨む側に位置する内側ガイドレール片と無端状通水体の通水体下流側に臨む側に位置する外側ガイドレール片から構成し、無端リンクチェーンの通水体取り付け側の外面と僅かな隙間をあけて、無端状通水体の通水体上流側に臨む側の無端リンクチェーンの上記外面を覆うように、防塵板を内側ガイドレール片の全長さにわたって取り付け、無端リンクチェーンの上記外面の凹面に取り付けられる断面Ｌ字型ネット取付補助板のリンク取付側の先端を無端リンクチェーンのリンクローラーの防塵板側寄り周縁の延長線上から防塵板側に向けて突出させると共にその突出量をガイドレールの溝幅からリンクローラーの直径を引いた差より大きくしたことにより、循環移動する無端リンクチェーンのリンクローラー部分や無端リンクチェーンをガイドするガイドレール内に塵芥が混入するのを簡単な構造で防ぐことができると共にリンクローラーの外周側に鍔としてのフランジの形成を省略することができる。しかも、断面Ｌ字型ネット取付補助板は市販の部材を使用できるため、特願２０００−２４７８８０に比べて、部材の成形加工を簡略でき、作業手間と時間を短縮し得てコストを軽減することができる。
【００７１】
また、請求項４のように、保護材が駆動軸の外周に直接支持して取り付けられると共に、保護材の下部に錘が取り付けられている場合には、保護材を支持するための部材を省略でき、又保護材の非回転状態を高めることができる。
【００７２】
保護材が半割りの二分割された部材からなる場合には、両側から合わせることによって駆動軸の外周に簡単に取り付けることができるため、既設の除塵機の駆動軸に取り付けることが可能となる。
【図面の簡単な説明】
【図１】この発明の実施の形態を示す除塵機の全体側断面図である。
【図２】この発明の実施の形態を示す除塵機の水路上流側から見たときの全体概略正断面図である。
【図３】この発明の実施の形態を示す除塵機の全体平断面図である。
【図４】この発明の実施の形態を示す除塵機の上部側の平断面図である。
【図５】（Ａ）〜（Ｃ）はこの発明の実施の形態を示す保護材の断面図である。
【図６】（Ａ）〜（Ｃ）はこの発明の実施の形態を示す二分割の保護材の断面図である。
【図７】この発明の実施の形態を示す保護材のブラケット支持の側面図である。
【図８】この発明の実施の形態を示す除塵機のガイドレール側の部分拡大平断面図である。
【図９】この発明の実施の形態を示す除塵機の無端リンクチェーンの部分側面図である。
【図１０】この発明の実施の形態を示す除塵機の無端リンクチェーンの部分正面図である。
【図１１】（Ａ）は特願２０００−２４７８８０の除塵機の無端リンクチェーンの部分側面図である。
（Ｂ）は特願２０００−２４７８８０の除塵機の無端リンクチェーンの内側リンク板と外側リンク板の部分側面図である。
（Ｃ）は図１１（Ｂ）の正面図である。
【符号の説明】
１    除塵機
１ａ  上流側止水板
１ｂ  下流側止水板
１ｃ  上部側板
１ｄ  外部側板
２    水路
２ａ  水路下流側
２ｂ  水路上流側
２ｃ  案内側壁
３    無端状ネット
３ａ  ネット内面
３ｂ  ネット外面
４    無端リンクチェーン
４ａ  内側リンク板
４ｂ  外側リンク板
４ｃ  連結軸
４ｄ  リンクローラー
４ｅ  断面Ｌ字型ネット取付補助板
４ｆ  リンク取付側
４ｇ  ネット取付側
４ｈ  ネット取付板
５    駆動スプロケット
５ａ  駆動軸
６    テークアップ装置
６ａ  テークアップガイド
６ｂ  テークアップガイド軸
６ｃ  テークアップガイド軸スライド調節具
７    ガイドレール
７ａ  内側ガイドレール片
７ｂ  外側ガイドレール片
８    保護材
８ａ  オイルレスベアリング
８ｂ  錘
８ｃ  ブラケット
９    ネット駆動装置
１０    防塵板
１１    レーキ
１２    洗浄装置
１２ａ  ノズル付洗浄管
１２ｂ  水中ポンプ
１２ｃ  洗浄用配管
１３    トラフ
【図１】
2005036438.tif 000003
【図２】
2005036438.tif 000004
【図３】
2005036438.tif 000005
【図４】
2005036438.tif 000006
【図５】
2005036438.tif 000007
【図６】
2005036438.tif 000008
【図７】
2005036438.tif 000009
【図８】
2005036438.tif 000010
【図９】
2005036438.tif 000011
【図１０】
2005036438.tif 000012
【図１１】
2005036438.tif 000013